(57)【要約】  【課題】  従来と比較して利用者に見易い映像を表示することができる映像表示システムを提供する。  【解決手段】  映像表示システム１０は、映像を表示する表示面２１ａが形成された映像表示装置２０と、映像を構成する光である映像光を偏光する偏光フィルム３１と、映像光以外の光であって表示面２１ａに向けて偏光フィルム３１に入射する非映像光を偏光する偏光フィルム３２とを備え、偏光フィルム３１は、利用者６１に映像を見せるための所定の位置と、表示面２１ａとの間の位置に配置され、偏光フィルム３２は、利用者６１に映像を見せるための所定の位置と、偏光フィルム３１との間以外の位置に配置され、偏光フィルム３１と偏光方向が異なる。【選択図】  図１
2005275287.tif 000002
【特許請求の範囲】
【請求項１】
映像を表示する表示面が形成された映像表示装置と、前記映像を構成する光である映像光を偏光する映像光偏光部材と、前記映像光以外の光であって前記表示面に向けて前記映像光偏光部材に入射する非映像光を偏光する非映像光偏光部材とを備え、
前記映像光偏光部材は、利用者に前記映像を見せるための所定の位置と、前記表示面との間の位置に配置され、
前記非映像光偏光部材は、前記所定の位置と、前記映像光偏光部材との間以外の位置に配置され、前記映像光偏光部材と偏光方向が異なることを特徴とする映像表示システム。
【請求項２】
前記映像表示装置は、前記表示面に光を投射するプロジェクタと、前記表示面が形成されたスクリーンとを有したことを特徴とする請求項１に記載の映像表示システム。
【請求項３】
前記所定の位置と前記表示面との間の第１位置と、前記所定の位置と前記表示面との間以外の第２位置とに前記映像光偏光部材を移動可能に支持した支持装置を備えたことを特徴とする請求項１に記載の映像表示システム。
【請求項４】
前記所定の位置を照明する照明装置を備え、
前記非映像光偏光部材は、前記照明装置の照明光を前記非映像光として偏光することを特徴とする請求項１に記載の映像表示システム。
【請求項５】
前記映像表示装置は、前記映像光偏光部材の偏光方向と略同一の方向に偏光した光で前記映像を表示することを特徴とする請求項１に記載の映像表示システム。
【請求項６】
前記映像表示装置は、赤、緑及び青のうち何れか１色の光であって偏光された第１光と、赤、緑及び青のうち前記第１光以外の２色の光であって偏光された第２光とで前記映像を表示し、
前記第１光の偏光方向及び前記第２光の偏光方向は、互いに異なるとともに、前記映像光偏光部材の偏光方向となす角度が略同一であることを特徴とする請求項１に記載の映像表示システム。
【請求項７】
前記映像光偏光部材は、前記表示面に向けて前記プロジェクタが投射する光が入射される位置に配置され、
前記プロジェクタは、前記映像光偏光部材の偏光方向と略同一の方向に偏光した光を前記表示面に向けて投射することを特徴とする請求項２に記載の映像表示システム。
【請求項８】
前記映像光偏光部材は、前記表示面に向けて前記プロジェクタが投射する光が入射される位置に配置され、
前記プロジェクタは、赤、緑及び青のうち何れか１色の光であって偏光された第１投射光と、赤、緑及び青のうち前記第１投射光以外の２色の光であって偏光された第２投射光とを前記表示面に向けて投射し、
前記第１投射光の偏光方向及び前記第２投射光の偏光方向は、互いに異なるとともに、前記映像光偏光部材の偏光方向となす角度が略同一であることを特徴とする請求項２に記載の映像表示システム。
【請求項９】
移動体に搭載されることを特徴とする請求項１に記載の映像表示システム。
【請求項１０】
請求項１から請求項８までの何れかに記載の映像表示システムを備えたことを特徴とする移動体。 
【発明の詳細な説明】
【技術分野】
【０００１】
本発明は、映像を表示する映像表示システムに関するものである。
【背景技術】
【０００２】
従来の映像表示システムとしては、車載用表示装置の表示画面から射出する表示光の偏光方向と、車両の後方視界の偏光透過方向とが略直交するように構成し、表示画面による後続車両への眩惑作用を軽減させる車載用表示システムが知られている（例えば特許文献１参照。）。
【特許文献１】特開平１０−５１７６４号公報（第２−３頁、第１−２図）
【発明の開示】
【発明が解決しようとする課題】
【０００３】
しかしながら、従来の映像表示システムは、表示画面による後続車両への眩惑作用を軽減させるためのものであるので、表示画面で外光が反射される場合があり、表示画面で外光が反射されたときに表示画面に表示された映像を利用者が見難いという問題があった。
【０００４】
本発明は、従来の問題を解決するためになされたもので、従来と比較して利用者に見易い映像を表示することができる映像表示システムを提供することを目的とする。
【課題を解決するための手段】
【０００５】
本発明の映像表示システムは、映像を表示する表示面が形成された映像表示装置と、前記映像を構成する光である映像光を偏光する映像光偏光部材と、前記映像光以外の光であって前記表示面に向けて前記映像光偏光部材に入射する非映像光を偏光する非映像光偏光部材とを備え、前記映像光偏光部材は、利用者に前記映像を見せるための所定の位置と、前記表示面との間の位置に配置され、前記非映像光偏光部材は、前記所定の位置と、前記映像光偏光部材との間以外の位置に配置され、前記映像光偏光部材と偏光方向が異なる構成を有している。
【０００６】
この構成により、本発明の映像表示システムは、非映像光が表示面に到達することを映像光偏光部材が抑制するので、従来と比較して利用者に見易い映像を表示することができる。
【０００７】
また、本発明の映像表示システムは、前記映像表示装置は、前記表示面に光を投射するプロジェクタと、前記表示面が形成されたスクリーンとを有した構成を有している。
【０００８】
この構成により、本発明の映像表示システムは、非映像光が到達することによってＣＲＴ（Ｃａｔｈｏｄｅ−Ｒａｙ  Ｔｕｂｅ）やＰＤＰ（Ｐｌａｓｍａ  Ｄｉｓｐｌａｙ  Ｐａｎｅｌ）等の映像表示装置の表示面と比較して映像の表示状態が悪くなり易い表示面が形成されるスクリーンを有した映像表示装置であっても、利用者に見易い映像を表示することができる。
【０００９】
また、本発明の映像表示システムは、前記所定の位置と前記表示面との間の第１位置と、前記所定の位置と前記表示面との間以外の第２位置とに前記映像光偏光部材を移動可能に支持した支持装置を備えた構成を有している。
【００１０】
この構成により、本発明の映像表示システムは、映像光偏光部材を介さずに映像を利用者に見せることができるので、映像光偏光部材を介さずに映像を利用者に見せることができない構成と比較して、非映像光が表示面に到達し難い状況であるときに利用者に見易い映像を表示することができる。
【００１１】
また、本発明の映像表示システムは、前記所定の位置を照明する照明装置を備え、前記非映像光偏光部材は、前記照明装置の照明光を前記非映像光として偏光する構成を有している。
【００１２】
この構成により、本発明の映像表示システムは、表示面に表示する映像を利用者に見せるときに照明装置の照明光の光量を低減する必要がないので、表示面に表示する映像を利用者に見せるときに照明装置の照明光の光量を低減しなければならない構成と比較して、照明装置によって所定の位置を照明した状態で利用者に見易い映像を表示することができる。
【００１３】
また、本発明の映像表示システムは、前記映像表示装置は、前記映像光偏光部材の偏光方向と略同一の方向に偏光した光で前記映像を表示する構成を有している。
【００１４】
この構成により、本発明の映像表示システムは、映像光の光量が映像光偏光部材によって低減されることを抑制できるので、映像光偏光部材の偏光方向と異なる方向に偏光した光で映像表示装置が映像を表示する構成と比較して、利用者に見易い映像を表示することができる。
【００１５】
また、本発明の映像表示システムは、前記映像表示装置は、赤、緑及び青のうち何れか１色の光であって偏光された第１光と、赤、緑及び青のうち前記第１光以外の２色の光であって偏光された第２光とで前記映像を表示し、前記第１光の偏光方向及び前記第２光の偏光方向は、互いに異なるとともに、前記映像光偏光部材の偏光方向となす角度が略同一である構成を有している。
【００１６】
この構成により、本発明の映像表示システムは、赤、緑及び青の映像光の光量が映像光偏光部材によって略均一に低減されるので、赤、緑及び青の映像光の光量が映像光偏光部材によって不均一に低減される構成と比較して、利用者に見易い映像を表示することができる。
【００１７】
また、本発明の映像表示システムは、前記映像光偏光部材は、前記表示面に向けて前記プロジェクタが投射する光が入射される位置に配置され、前記プロジェクタは、前記映像光偏光部材の偏光方向と略同一の方向に偏光した光を前記表示面に向けて投射する構成を有している。
【００１８】
この構成により、本発明の映像表示システムは、プロジェクタからスクリーンに投射される光の光量が映像光偏光部材によって低減されることを抑制できるので、映像光偏光部材の偏光方向と異なる方向に偏光した光をプロジェクタが表示面に向けて投射する構成と比較して、利用者に見易い映像を表示することができる。
【００１９】
また、本発明の映像表示システムは、前記映像光偏光部材は、前記表示面に向けて前記プロジェクタが投射する光が入射される位置に配置され、前記プロジェクタは、赤、緑及び青のうち何れか１色の光であって偏光された第１投射光と、赤、緑及び青のうち前記第１投射光以外の２色の光であって偏光された第２投射光とを前記表示面に向けて投射し、前記第１投射光の偏光方向及び前記第２投射光の偏光方向は、互いに異なるとともに、前記映像光偏光部材の偏光方向となす角度が略同一である構成を有している。
【００２０】
この構成により、本発明の映像表示システムは、プロジェクタからスクリーンに投射される赤、緑及び青の光の光量が映像光偏光部材によって略均一に低減されるので、プロジェクタからスクリーンに投射される赤、緑及び青の光の光量が映像光偏光部材によって不均一に低減される構成と比較して、利用者に見易い映像を表示することができる。
【００２１】
また、本発明の映像表示システムは、移動体に搭載される構成を有している。
【００２２】
この構成により、本発明の映像表示システムは、移動体の外部の光が表示面に到達することを映像光偏光部材が抑制するので、移動体の外部から移動体の内部に入射する光の光量や方向が移動体の移動によって変化しても、利用者に見易い映像を表示することができる。
【００２３】
また、本発明の移動体は、映像表示システムを備えた構成を有している。
【００２４】
この構成により、本発明の移動体は、外部の光が表示面に到達することを映像光偏光部材が抑制するので、外部から内部に入射する光の光量や方向が移動体自身の移動によって変化しても、従来と比較して利用者に見易い映像を表示することができる。
【発明の効果】
【００２５】
本発明は、従来と比較して利用者に見易い映像を表示することができる映像表示システムを提供することができるものである。
【発明を実施するための最良の形態】
【００２６】
以下、本発明の実施の形態について、図面を用いて説明する。
【００２７】
（第１の実施の形態）
まず、第１の実施の形態に係る映像表示システムの構成について説明する。
【００２８】
図１から図３までに示すように、本実施の形態に係る映像表示システム１０は、移動体としての自動車６０に設置されている。
【００２９】
また、映像表示システム１０は、映像を表示する表示面２１ａが形成されたスクリーン２１及びスクリーン２１の表示面２１ａに光を投射するプロジェクタ２２を有した映像表示装置２０と、通過する光を偏光する偏光フィルム３１及び偏光フィルム３２と、自動車６０の内部の天井の略中央に設置されてスクリーン２１を巻き付けて収納可能なロール４１と、自動車６０の内部の天井の略中央に設置されて偏光フィルム３１を図３（ａ）及び図３（ｂ）に示すように回動可能に支持した支持装置としての回動支持部４２とを備えている。
【００３０】
ここで、スクリーン２１は、光の偏光方向を保持する反射型のスクリーン、即ちシルバースクリーンである。
【００３１】
また、プロジェクタ２２は、光源光をダイクロイックミラーにより赤、緑及び青の３色に分け、各色用の液晶パネルを通過した光がスクリーン２１の表示面２１ａに投射されて映像を形成する３板式液晶プロジェクタであり、赤、緑及び青の各色用の液晶パネルの偏光方向が互いに略同一である。プロジェクタ２２は、自動車６０の内部の天井の後方側に設置されている。
【００３２】
また、偏光フィルム３１は、図３（ａ）に示す状態のときにプロジェクタ２２の赤、緑及び青の各色用の液晶パネルの偏光方向と略同一の偏光方向になるように設置されている。偏光フィルム３１は、スクリーン２１の表示面２１ａに表示される映像を構成する光である映像光を偏光するようになっており、映像光偏光部材を構成している。なお、偏光フィルム３１は、図３（ａ）に示す状態のとき、スクリーン２１の表示面２１ａに表示される映像を利用者６１に見せるための所定の位置、即ち自動車６０の後部座席に座った利用者６１の目の位置と、スクリーン２１の表示面２１ａとの間の位置に配置されている。
【００３３】
また、偏光フィルム３２は、図３（ａ）に示す状態のときに偏光フィルム３１と偏光方向が略直交するように自動車６０の側面の窓ガラスに貼り付けられている。即ち、偏光フィルム３２は、自動車６０の後部座席に座った利用者６１の目の位置と、図３（ａ）に示す状態のときの偏光フィルム３１との間以外の位置に配置されている。偏光フィルム３２は、映像光以外の光であってスクリーン２１の表示面２１ａに向けて偏光フィルム３１に入射する非映像光、例えば、自動車６０の外側から窓ガラスを介して自動車６０の内部に入射する太陽６２からの光等の光を偏光するようになっており、非映像光偏光部材を構成している。
【００３４】
次に、映像表示システム１０の動作について説明する。
【００３５】
自動車６０の外側から光が窓ガラスを介して自動車６０の内部に入射する場合、利用者６１の操作等によって偏光フィルム３１が図３（ａ）に示す状態にされる。
【００３６】
図３（ａ）に示す状態であるとき、プロジェクタ２２がスクリーン２１に向けて光を投射すると、プロジェクタ２２の投射光は、偏光方向が略同一である偏光フィルム３１を通過し、スクリーン２１によって偏光方向が保持されたまま反射される。
【００３７】
そして、スクリーン２１によって反射されたプロジェクタ２２の投射光は、偏光方向が略同一である偏光フィルム３１を再び通過し、自動車６０の後部座席に座った利用者６１の目に入射する。
【００３８】
また、自動車６０の外側から窓ガラスを介して自動車６０の内部に入射する光は、偏光フィルム３２を通過して偏光フィルム３２によって一方向成分のみに偏光され、偏光方向が偏光フィルム３２と略直交する偏光フィルム３１によって遮断されて、スクリーン２１には到達しない。
【００３９】
一方、夜間等、自動車６０の外側から光が窓ガラスを介して自動車６０の内部に入射しない場合、利用者６１の操作等によって偏光フィルム３１が図３（ｂ）に示す状態にされる。
【００４０】
図３（ｂ）に示す状態であるとき、プロジェクタ２２がスクリーン２１に向けて光を投射すると、プロジェクタ２２の投射光は、偏光フィルム３１を通過せずにスクリーン２１に到達し、スクリーン２１によって偏光方向が保持されたまま反射される。
【００４１】
そして、スクリーン２１によって反射されたプロジェクタ２２の投射光は、偏光フィルム３１を通過せずに、自動車６０の後部座席に座った利用者６１の目に入射する。
【００４２】
以上に説明したように、映像表示システム１０は、自動車６０の外部の光がスクリーン２１の表示面２１ａに到達することを偏光フィルム３１が抑制するので、自動車６０の外部から自動車６０の内部に入射する光の光量や方向が自動車６０の移動によって変化しても、従来と比較して利用者６１に見易い映像を表示することができる。また、映像表示システム１０は、非映像光がスクリーン２１の表示面２１ａに到達することを抑制しながら、自動車６０の外部の景色を偏光フィルム３２を介して利用者６１に見せることもできる。
【００４３】
また、映像表示システム１０は、非映像光が到達することによってＣＲＴやＰＤＰ等の映像表示装置の表示面と比較して映像の表示状態が悪くなり易い表示面２１ａが形成されるスクリーン２１を有した映像表示装置２０であっても、利用者６１に見易い映像を表示することができる。なお、映像表示システム１０は、映像表示装置２０に代えて、ＣＲＴやＰＤＰ等の映像表示装置を備えていても良い。
【００４４】
また、映像表示システム１０は、自動車６０の後部座席に座った利用者６１の目の位置と、スクリーン２１の表示面２１ａとの間の図３（ａ）に示す第１位置と、自動車６０の後部座席に座った利用者６１の目の位置と、スクリーン２１の表示面２１ａとの間以外の図３（ｂ）に示す第２位置とに偏光フィルム３１を移動可能に支持した回動支持部４２を備えており、偏光フィルム３１を介さずに映像を利用者６１に見せることができるので、偏光フィルム３１を介さずに映像を利用者６１に見せることができない構成と比較して、非映像光がスクリーン２１の表示面２１ａに到達し難い状況であるときに利用者６１に見易い映像を表示することができる。また、映像表示システム１０は、非映像光がスクリーン２１の表示面２１ａに到達し難い状況であるときに偏光フィルム３１を図３（ｂ）に示す第２位置に移動させて自動車６０の内部のスペースを確保することもできる。
【００４５】
また、映像表示システム１０は、スクリーン２１の表示面２１ａに向けてプロジェクタ２２が投射する光が入射される位置に偏光フィルム３１が配置され、偏光フィルム３１の偏光方向と略同一の方向に偏光した光をスクリーン２１の表示面２１ａに向けてプロジェクタ２２が投射するようになっており、プロジェクタ２２からスクリーン２１に投射される光の光量が偏光フィルム３１によって低減されることを抑制できるので、偏光フィルム３１の偏光方向と異なる方向に偏光した光をプロジェクタ２２がスクリーン２１の表示面２１ａに向けて投射する構成と比較して、利用者６１に見易い映像を表示することができる。
【００４６】
また、映像表示システム１０は、偏光フィルム３１の偏光方向と略同一の方向に偏光した光で映像表示装置２０がスクリーン２１の表示面２１ａに映像を表示するようになっており、映像光の光量が偏光フィルム３１によって低減されることを抑制できるので、偏光フィルム３１の偏光方向と異なる方向に偏光した光で映像表示装置２０がスクリーン２１の表示面２１ａに映像を表示する構成と比較して、利用者６１に見易い映像を表示することができる。
【００４７】
なお、スクリーン２１は、シルバースクリーンが望ましいが、表面拡散型のスクリーンであっても良い。また、スクリーン２１は、ロール４１に巻き付けられることによって収納可能になっているが、他の方法によって収納可能になっていても良いし、収納不可能になっていても良い。
【００４８】
また、プロジェクタ２２は、赤、緑及び青の各色用の液晶パネルの偏光方向が互いに略同一であることが望ましいが、赤、緑及び青の各色用の液晶パネルの偏光方向が互いに異なっていても良い。映像表示システム１０は、プロジェクタ２２の赤、緑及び青の各色用の液晶パネルの偏光方向が互いに異なっている場合、各色の偏りが最小限になるようにプロジェクタ２２や偏光フィルム３１が設置されていることが望ましい。例えば、映像表示システム１０は、プロジェクタ２２の赤用の液晶パネル及び青用の液晶パネルの偏光方向と、緑用の液晶パネルの偏光方向とが略直交している場合、赤、緑及び青の各色用の液晶パネルの偏光方向と偏光フィルム３１の偏光方向とが略４５°の角度をなすようにプロジェクタ２２や偏光フィルム３１が設置されていることが望ましい。
【００４９】
映像表示システム１０は、赤、緑及び青のうち何れか１色の光であって偏光された第１投射光と、赤、緑及び青のうち第１投射光以外の２色の光であって偏光された第２投射光とをプロジェクタ２２がスクリーン２１の表示面２１ａに向けて投射し、第１投射光の偏光方向及び第２投射光の偏光方向が互いに異なり、第１投射光の偏光方向及び第２投射光の偏光方向が偏光フィルム３１の偏光方向となす角度が略同一であるとき、プロジェクタ２２からスクリーン２１に投射される赤、緑及び青の光の光量が偏光フィルム３１によって略均一に低減されるので、プロジェクタ２２からスクリーン２１に投射される赤、緑及び青の光の光量が偏光フィルム３１によって不均一に低減される構成と比較して、利用者６１に見易い映像を表示することができる。
【００５０】
また、映像表示システム１０は、赤、緑及び青のうち何れか１色の光であって偏光された第１光と、赤、緑及び青のうち第１光以外の２色の光であって偏光された第２光とで映像表示装置２０がスクリーン２１の表示面２１ａに映像を表示し、第１光の偏光方向及び第２光の偏光方向が互いに異なり、第１光の偏光方向及び第２光の偏光方向が偏光フィルム３１の偏光方向となす角度が略同一であるようになっているとき、赤、緑及び青の映像光の光量が偏光フィルム３１によって略均一に低減されるので、赤、緑及び青の映像光の光量が偏光フィルム３１によって不均一に低減される構成と比較して、利用者６１に見易い映像を表示することができる。
【００５１】
また、プロジェクタ２２は、３板式液晶プロジェクタであるが、３板式液晶プロジェクタ以外のプロジェクタであっても良い。例えば、プロジェクタ２２は、単板式液晶プロジェクタやＤＬＰ（Ｄｉｇｉｔａｌ  Ｌｉｇｈｔ  Ｐｒｏｃｅｓｓｉｎｇ）プロジェクタであっても良い。なお、ＤＬＰプロジェクタのように投射光が偏光されていないプロジェクタの場合は、偏光フィルム３１の偏光特性により偏光フィルム３１の設置角度が限定されない。
【００５２】
また、偏光フィルム３１は、プロジェクタ２２の赤、緑及び青の各色用の液晶パネルの偏光方向と略同一の偏光方向になっているのが望ましいが、液晶パネルの偏光方向と異なる偏光方向になっていても良い。また、偏光フィルム３１は、回動支持部４２に回動されることによって収納可能になっているが、スクリーン２１の前面に貼り付けられてスクリーン２１とともにロール４１に巻き付けられることによって収納される等、他の方法によって収納可能になっていても良いし、収納不可能になっていても良い。
【００５３】
また、偏光フィルム３２は、図２においては自動車６０の側面の窓ガラスに貼り付けられているが、自動車６０の側面以外の位置に配置されていても良い。例えば、偏光フィルム３２は、自動車６０の後面の窓ガラスに貼り付けられていても良い。なお、偏光フィルム３２は、窓ガラスの内側又は外側の何れに貼り付けられていても良いし、窓ガラスとは別に設置されていても良い。
【００５４】
なお、映像表示システム１０は、図４に示すように、プロジェクタ２２の投射光を反射する反射部材５１と、自動車６０の内部の天井の後方側に設置されて反射部材５１を図３に示す偏光フィルム３１のように回動可能に支持した回動支持部５２とを備えていても良い。
【００５５】
また、映像表示システム１０は、図５に示すように、プロジェクタ２２をスクリーン２１の背面側に設置してスクリーン２１の背面側からプロジェクタ２２によって光を投射するようになっていても良い。
【００５６】
（第２の実施の形態）
まず、第２の実施の形態に係る映像表示システムの構成について説明する。なお、本実施の形態に係る映像表示システムの構成のうち、第１の実施の形態に係る映像表示システムの構成と同様な構成については、第１の実施の形態に係る映像表示システムの構成と同一の符号を付して詳細な説明を省略する。
【００５７】
図６に示すように、本実施の形態に係る映像表示システム７０は、部屋９０に設置されている。
【００５８】
また、映像表示システム７０は、表示面２１ａが形成されて部屋９０の壁面に設置されたスクリーン２１及びプロジェクタ２２を有した映像表示装置２０と、スクリーン２１の前面に貼り付けられた偏光フィルム３１と、部屋９０の天井に設置されて利用者の位置を照明する照明装置８０と、偏光フィルム３１と偏光方向が略直交するように照明装置８０の表面に貼り付けられて照明装置８０の照明光を偏光する偏光フィルム３２とを備えている。
【００５９】
次に、映像表示システム７０の動作について説明する。
【００６０】
プロジェクタ２２がスクリーン２１に向けて光を投射すると、プロジェクタ２２の投射光は、偏光方向が略同一である偏光フィルム３１を通過し、スクリーン２１によって偏光方向が保持されたまま反射される。
【００６１】
そして、スクリーン２１によって反射されたプロジェクタ２２の投射光は、偏光方向が略同一である偏光フィルム３１を再び通過し、部屋９０の内部に居る利用者の目に入射する。
【００６２】
一方、照明装置８０の照明光は、偏光フィルム３２を通過して偏光フィルム３２によって一方向成分のみに偏光され、偏光方向が偏光フィルム３２と略直交する偏光フィルム３１によって遮断されて、スクリーン２１には到達しない。
【００６３】
以上に説明したように、映像表示システム７０は、スクリーン２１の表示面２１ａに表示する映像を利用者に見せるときに照明装置８０の照明を暗くしたり消したりして照明装置８０の照明光の光量を低減する必要がないので、スクリーン２１の表示面２１ａに表示する映像を利用者に見せるときに照明装置８０の照明光の光量を低減しなければならない構成と比較して、部屋９０の内部を照明装置８０によって照明した状態で利用者に見易い映像を表示することができる。
【００６４】
なお、照明装置８０は、部屋９０の天井に設置されているが、天井以外の場所に設置されていても良い。例えば、照明装置８０は、部屋９０の壁面に設置されていても良い。また、映像表示システム７０は、照明装置８０が複数あるとき、複数の照明装置８０のそれぞれの表面に偏光フィルム３２が貼り付けられていれば良い。
【００６５】
また、映像表示システム７０は、第１の実施の形態と同様に、プロジェクタ２２をスクリーン２１の背面側に設置してスクリーン２１の背面側からプロジェクタ２２によって光を投射するようになっていても良い。
【産業上の利用可能性】
【００６６】
以上のように、本発明に係る映像表示システムは、従来と比較して利用者に見易い映像を表示することができるという効果を有し、車載用の映像表示システム等として有用である。
【図面の簡単な説明】
【００６７】
【図１】本発明の第１の実施の形態における映像表示システムの原理を説明するための上面図
【図２】図１に示す映像表示システムを搭載した自動車の一部切断斜視図
【図３】（ａ）偏光フィルム使用時の図２に示す自動車の一部切断側面図  （ｂ）偏光フィルム収納時の図２に示す自動車の一部切断側面図
【図４】本発明の第１の実施の形態における映像表示システムを搭載した自動車の図２に示す例とは異なる例での一部切断側面図
【図５】本発明の第１の実施の形態における映像表示システムの図１に示す例とは異なる例での上面図
【図６】本発明の第２の実施の形態における映像表示システムを設置した部屋の側面断面図
【符号の説明】
【００６８】
１０  映像表示システム
２０  映像表示装置
２１  スクリーン
２１ａ  表示面
２２  プロジェクタ
３１  偏光フィルム（映像光偏光部材）
３２  偏光フィルム（非映像光偏光部材）
４２  回動支持部（支持装置）
６０  自動車（移動体）
６１  利用者
７０  映像表示システム
８０  照明装置
【図１】
2005275287.tif 000003
【図２】
2005275287.tif 000004
【図３】
2005275287.tif 000005
【図４】
2005275287.tif 000006
【図５】
2005275287.tif 000007
【図６】
2005275287.tif 000008